(57)【要約】【課題】簡単な構成で誤操作を防止するとともに、吐出操作の操作性を高めたポンプ付き容器を提案する【解決手段】本発明のポンプ付き容器は、ステム３５に連結する吐出部を設けるとともに少なくともベースキャップ２０を取り囲むカバー周壁を吐出部の周壁と一体連結させたカバー４０と、カバー４０上に設けられた蓋体５０とを備え、カバー４０は切り欠き部４６を有し、蓋体５０は、切り欠き部４６に適合する延長部５３を備え、延長部５３は、切り欠き部４６の軸部４７又は軸受け部に適合して蓋体５０を揺動可能に保持する軸受け部５４又は軸部を有するとともに、蓋体５０の閉鎖姿勢時にベースキャップ２０の一部に当接するか僅かに隙間をあけた所に位置してカバー４０の押し込みを阻止する端部５５を備えることを特徴とする。【選択図】図２
2014144802.tif 000002
【特許請求の範囲】
【請求項１】
容器の内側に繋がる開口を有し該容器の口部に固定保持されるベースキャップと、該開口を通して吊り下げ保持されステムの押し込みと復帰動作の繰り返しにより内容物を吸引、加圧、圧送するポンプと、該ステムに連結する吐出部を設けるとともに少なくとも該ベースキャップを取り囲むカバー周壁を該吐出部の周壁と一体連結させたカバーと、該カバー上に設けられた蓋体とを備え、
前記吐出部は、該周壁の上方を閉鎖する天面壁を有し、該天面壁及び周壁の少なくとも一方に内容物の注出口を備えており、
前記カバーは、前記天面壁及び周壁の一部を切り取った切り欠き部を有し、前記蓋体は、該切り欠き部に適合する延長部を備え、
該延長部は、該切り欠き部の端面に設けた軸部又は軸受け部に適合して該蓋体を揺動可能に保持する軸受け部又は軸部を有するとともに、該蓋体の閉鎖姿勢時に前記ベースキャップの一部に対して当接するか僅かに隙間をあけた所に位置してステムに繋がる前記カバーの押し込みを阻止する端部を備える、ポンプ付き容器。
【請求項２】
前記注出口は前記天面壁に設けられ、前記蓋体によって該注出口が覆われる請求項１に記載のポンプ容器。
【請求項３】
前記カバー周壁は、前記吐出部の周壁を介して天面壁に一体連結する小径部と該小径部に段部を介して一体連結する大径部とを備える請求項１又は２に記載のポンプ付き容器。
【請求項４】
前記ベースキャップは、前記カバーの内周面に設けた縦リブ又は縦溝に連係する縦溝又は縦リブを備える請求項１〜３の何れかに記載のポンプ付き容器。
【発明の詳細な説明】
【技術分野】
【０００１】
本発明は、容器の口部にポンプを備えるポンプ付き容器に関するものであり、特に、ポンプの誤操作を簡単な構成で防止する容器に関する。
【背景技術】
【０００２】
従来、ポンプの誤作動を防止するために、押下ヘッド（吐出部）を覆うオーバーキャップ（カバー）を設け、このオーバーキャップを下方にスライド移動させることで押下ヘッドを突出させ、該押下ヘッドを操作可能とする誤操作防止機能を備えたポンプ付き容器が知られている（例えば特許文献１）。
【先行技術文献】
【特許文献】
【０００３】
【特許文献１】特開２０１１−２１３３８２号公報
【発明の概要】
【発明が解決しようとする課題】
【０００４】
ところで、従来の容器の使用に当たっては、オーバーキャップをスライド移動させた後に押下ヘッドを押圧するという、同軸方向の操作を繰り返し行う必要があり、その操作性に改善の余地があった。また、押下ヘッドをオーバーキャップで覆った保管状態においても、押下ヘッドの天面壁がオーバーキャップの上面開口から露出しているため、この状態で誤作動が生じる可能性が懸念された。
【０００５】
本発明は、このような問題を解決することを課題とするものであり、その目的は、簡単な構成で誤操作を防止するとともに、吐出操作の操作性を高めた新規のポンプ付き容器を提案するところにある。
【課題を解決するための手段】
【０００６】
本発明は、容器の内側に繋がる開口を有し該容器の口部に固定保持されるベースキャップと、該開口を通して吊り下げ保持されステムの押し込みと復帰動作の繰り返しにより内容物を吸引、加圧、圧送するポンプと、該ステムに連結する吐出部を設けるとともに少なくとも該ベースキャップを取り囲むカバー周壁を該吐出部の周壁と一体連結させたカバーと、該カバー上に設けられた蓋体とを備え、
前記吐出部は、該周壁の上方を閉鎖する天面壁を有し、該天面壁及び周壁の少なくとも一方に内容物の注出口を備えており、
前記カバーは、前記天面壁及び周壁の一部を切り取った切り欠き部を有し、前記蓋体は、該切り欠き部に適合する延長部を備え、
該延長部は、該切り欠き部の端面に設けた軸部又は軸受け部に適合して該蓋体を揺動可能に保持する軸受け部又は軸部を有するとともに、該蓋体の閉鎖姿勢時に前記ベースキャップの一部に対して当接するか僅かに隙間をあけた所に位置してステムに繋がる前記カバーの押し込みを阻止する端部を備える、ポンプ付き容器である。
【０００７】
前記注出口は前記天面壁に設けられ、前記蓋体によって該注出口が覆われていることが好ましい。
【０００８】
前記カバー周壁は、前記吐出部の周壁を介して天面壁に一体連結する小径部と該小径部に段部を介して一体連結する大径部とを備えることが好ましい。
【０００９】
前記ベースキャップは、前記カバーの内周面に設けた縦リブ又は縦溝に連係する縦溝又は縦リブを備えることが好ましい。
【発明の効果】
【００１０】
蓋体を閉鎖姿勢に変位させた際に、蓋体に設けた延長部の端部が、ベースキャップの一部に対して当接するか僅かに隙間をあけた所に位置するようにしたので、蓋体やカバーに触れてもポンプのステムは押し込まれず、誤操作を防止することが可能となる。
【００１１】
天面壁に設けた注出口を蓋体にて覆う場合は、保管時に埃等が注出口内に入り込むことがなくなる。
【００１２】
カバー周壁を、吐出部の周壁を介して天面壁に一体連結する小径部と、この小径部に段部を介して一体連結する大径部とを備えるように構成する場合は、吐出部の天面壁のみならず、段部を押圧して内容物を注出させることができる。また、カバーを手のひら全体で掴んで内容物を注出させることもできるので、指先に力が入りにくい使用者であっても使いやすくなる。
【００１３】
ベースキャップに、カバーの内周面に設けた縦リブ又は縦溝に連係する縦溝又は縦リブを設ける場合は、カバーがベースキャップ及び容器に対して回り止め保持される結果、蓋体の向きも容器に対して一定となる。これにより、蓋体を開くに当たって指をかける部分の位置が、容器を据え置いて使用する場合に意図せず変わってしまうことがなくなるので、より使いやすくなる。
【図面の簡単な説明】
【００１４】
【図１】本発明に従うポンプ付き容器の一実施形態を蓋体の閉鎖姿勢で示す、（ａ）は平面図であり、（ｂ）は、側面視での断面図である。
【図２】図１（ｂ）の要部拡大図である。
【図３】カバーと蓋体との揺動機構を示す斜視図である。
【図４】図２の状態から蓋体を開放姿勢に変位させてカバーを押圧する状況を示す要部拡大断面図である。
【図５】本発明に従うポンプ付き容器の他の実施形態を示す要部拡大断面図である。
【発明を実施するための形態】
【００１５】
以下、図面を参照して、本発明をより具体的に説明する。
図１は、本発明に従うポンプ付き容器の一実施形態を蓋体の閉鎖姿勢で示す、（ａ）は平面図であり、（ｂ）は、側面視での断面図であって、図２は、図１（ｂ）の要部拡大図であって、図３は、カバーと蓋体との揺動機構を示す斜視図であって、図４は、図２の状態から蓋体を開放姿勢に変位させてカバーを押圧する状況を示す要部拡大断面図である。
【００１６】
図１（ａ）、（ｂ）において、符号１０は内容物を収容する容器であり、符号２０は容器１０に固定保持されるベースキャップであり、符号３０は容器１０内の内容物を注出させるポンプであり、符号４０はカバーであり、符号５０は蓋体である。また、後述するようにカバー４０の上部には吐出部を設けている。
【００１７】
本実施形態において容器１０は、円板状となる底部１１の縁部より円筒状の胴部１２が立ち上がり、肩部１３を介して胴部１２よりも小径となる円筒状の口部１４を一体連結したものである。また、口部１４の外周面にはねじ部を設けている。
【００１８】
図２に示すようにベースキャップ２０は、容器１０の口部１４を取り囲む円筒状の基部２１と、基部２１の径方向内側にて水平方向に延在（基部２１の上端から径方向に延在）する上壁部２２と、上壁部２２の径方向内側に設けられ下向き凹状空間を形成する連結部２３とを一体連結するものであり、連結部２３の径方向内側には表裏を貫通する開口２４を設けている。基部２１の内周面には、口部１４のねじ部に適合するねじ部を設けている。また、上壁部２２は、その縁部に上方に向けて延びる環状壁部２５を備えている。
【００１９】
本実施形態においてポンプ３０は、上部をベースキャップ２０の連結部２３に嵌合させて口部１４内に吊り下げ保持される円筒状のシリンダー３１と、シリンダー３１内への内容物の流入、停止を司るポペット弁３２と、シリンダー３１とポペット弁３２との間の環状長手空間内に配置されるコイルバネ３３と、コイルバネ３３にて上方に付勢されるとともにその内側に内容物の流路を備える管状のピストン保持具３４と、ピストン保持具３４に連結する管状のステム３５と、ステム３５の押し込みに伴いシリンダー３１内を加圧するピストン３６とを備えている。本発明に従うポンプ３０は、本実施形態のような構成となるものに限られず、既知の種々のポンプを適用することが可能である。また、シリンダー３１の底部には、容器１０内の内容物をシリンダー３１内に吸い上げるパイプ３７を設けている。更に、パッキン３８が、口部１４と上壁部２２とで挟持されている。
【００２０】
本実施形態におけるカバー４０は、ステム３５を嵌合保持する円筒状の嵌合筒４１をその裏面に備える天面壁４２と、天面壁４２の縁部に一体連結し少なくともベースキャップ２０を取り囲む周壁４３とを備えるものであり、天面壁４２と周壁４３の上部で吐出部を形成し、周壁４３の残部がカバー周壁を形成している。本実施形態における吐出部は、天面壁４２の上面が、縁部から中央部に向かって下向きに滑らかに湾曲する凹面状となっており、更に中央部には、ステム３５の内側に繋がる注出口４４が設けられていて、これにより注出した内容物を受け入れる受皿部４５を形成している。天面壁４２の裏面には、嵌合筒４１と周壁４３との間を直線状に繋いだ横リブ４２ａを設けていて、本実施形態では複数の横リブ４２ａを全体で放射状となるように設けている。また図３に示すようにカバー４０には、天面壁４２及び周壁４３の連結部において、これらの一部を切り取った切り欠き部４６を備えている。そして切り欠き部４６の端面の両側には、円柱状の軸部４７を設けている。
【００２１】
また、図２に示すように周壁４３は、本実施形態では、天面壁４２に一体連結する小径部４３ａと、小径部４３ａに段部４３ｂを介して一体連結する大径部４３ｃとで形成されている。
【００２２】
蓋体５０は、図２に示すように、カバー４０の周壁４３に連なる外周壁５１と、外周壁５１の上部を覆う円板状の頂壁５２とを備えている。また、図３に示すように外周壁５１には、その一部分をカバー４０の切り欠き部４６に適合するように延ばした延長部５３を設けていて、延長部５３の両端面には、その一部を内側に凹ませた軸受け部５４を設けている。これにより蓋体５０は、軸受け部５４を軸部４７に嵌め込むことで、カバー４０に対して揺動可能に保持される。また、延長部５３の下方における端部５５は、ポンプ３０を不用意に作動させないためのストッパーとして機能するものである。この点については後述する。更に、蓋体５０には、図２に示すように延長部５３の反対側に径方向外側に突き出す指掛かり部５６を設けている。なお、カバー４０の軸部４７と蓋体５０の軸受け部５４とを、相互に入れ換えて設けてもよい。
【００２３】
上記のような部材にて構成されるポンプ付き容器は、図２に示すように蓋体５０が閉鎖姿勢に変位している時、延長部５３の端部５５を、ベースキャップ２０の一部（本実施形態では環状壁部２５の頂部２５ａ）に対し、当接するか、僅かに隙間をあけた所に位置するように設けている。これにより、カバー４０や蓋体５０を下向きに押圧しても、端部５５が環状壁部２５の頂部２５ａに当たるので、ステム３５の押し込みが阻止される。
【００２４】
なお、本実施形態では環状壁部２５の頂部２５ａに延長部５３の端部５５が当たるように構成したが、容器のサイズによっては、環状壁部２５を省略して延長部５３をベースキャップ２０の上壁部２２まで延ばして、端部５５が上壁部２２に当たるように構成してもよい。
【００２５】
一方、図４に示すように蓋体５０を開くと、延長部５３の内周面が横リブ４２ａに当接し、蓋体５０は開放姿勢に維持される。この場合において、端部５５は環状壁部２５の頂部２５ａから離れているので、受皿部４５を押圧することで、ステム３５が押し込まれてポンプ３０を作動させることができる。本実施形態においては、段部４３ｂに指をかけて押し下げたり、周壁４３を手のひら全体で掴んで押し下げたりすることもできる。受皿部４５内に注出された内容物を、コットンやパフ等の塗布用具にしみ込ませて使用する場合には、塗布用具を受皿部４５に載置しておき、その状態のままカバー４０を押し下げる操作も可能である。また、カバー４０の周壁４３がベースキャップ２０を取り囲んでいるので、受皿部４５から内容物がこぼれてもベースキャップ２０側に入り込むことがなく、こぼれた内容物を簡単に拭き取ることができる。なお、ステム３５に対するカバー４０の下降限位置のストッパーとしては、延長部５３の外周面と環状壁部２５の頂部２５ａとの当接や、カバー４０における嵌合筒４１の先端とベースキャップ２０における連結部２３の上面との当接、或いは、図１を参照して明らかなようにカバー４０の下端と容器１０を載置する接地面との当接等を、適宜選択して利用することができる。
【００２６】
次に本発明に従うポンプ付き容器の他の実施形態について、図５を参照しつつ説明する。なお、同一の機能を有する部材については、同一の符号を付してここでは説明を省略する。図５に示すポンプ付き容器は、ベースキャップ２０の基部２１の外周面に、その相互間に縦溝２６を形成する一対のリブ２７を設け、カバー４０の周壁４３の内周面に、縦溝２６に適合する１つの縦リブ４８を設けたものである（図示の例では、縦溝２６と縦リブ４８からなる組を２組設けているが、１つ、又は３つ以上設けても良い。）。これによりカバー４０は、容器１０に対して回り止め保持されるので、容器１０に対する蓋体５０の向きは常に一定となり、容器１０を据え置いて使用する場合に指掛かり部５６の向きが意図せず変わってしまうことがなくなる。
【００２７】
図２に示す実施形態では、内容物を収容した容器１０に対し、ポンプ３０を装着したベースキャップ２０を取り付け、その後、カバー４０を取り付ける必要があるが、図５に示す実施形態では、予め、ポンプ３０を装着したベースキャップ２０とカバー４０とを組み合わせておき、内容物を収容した容器１０に対してこれらを１回で取り付けることができるので、組み立て工程が簡単になるという利点がある。
【００２８】
なお、これまで述べた実施形態では、注出口４４を天面壁４２に形成した受皿部４５を備えるものとして説明したが、本発明はこのような形態に限定されるものではなく、例えば、受皿部４５を設けず、天面壁４２を平坦面や膨出面としたり、注出口を吐出部の周壁である周壁４３の上部に設けた横向きタイプの吐出部とすることもできる。
【産業上の利用可能性】
【００２９】
本発明によれば、蓋体を閉めておけばポンプを誤って作動させてしまうことがなく、また蓋体を開ければすぐにポンプの操作が可能となるので、使い勝手に優れた、新たなポンプ付き容器を提供することができる。
【符号の説明】
【００３０】
１０  容器
１４  口部
２０  ベースキャップ
２４  開口
２５ａ  環状壁部の頂部（ベースキャップの頂部）
２６  縦溝
３０  ポンプ
３５  ステム
４０  カバー
４２  天面壁（吐出部の天面壁）
４３  周壁（吐出部の周壁とカバー周壁の結合体）
４３ａ  小径部
４３ｂ  段部
４３ｃ  大径部
４４  注出口
４５  受皿部
４６  切り欠き部
４７  軸部
４８  縦リブ
５０  蓋体
５１  外周壁
５２  頂壁
５３  延長部
５４  軸受け部
５５  端部
【図１】
2014144802.tif 000003
【図２】
2014144802.tif 000004
【図３】
2014144802.tif 000005
【図４】
2014144802.tif 000006
【図５】
2014144802.tif 000007